(57)【要約】【課題】少数のパンツ型着用物品であっても、折り畳まれて内包されたパンツ型着用物品を使用時に取り出しやすく、しかもすべてを使いきるまで着用物品の折り畳み形態を安定して維持することができる包装体を提供する。【解決手段】折り畳まれた３枚以上のパンツ型着用物品１０を内包した包装体１００であって、前記パンツ型着用物品１０の複数枚は、その折り返した部分１０ｐを前記包装袋の底面５に向け、かつ、該おむつ内部の吸収体２０の左右の側縁２３を臨む方向を前記包装袋の左右の側面３に向けて配置されており、該側面３の少なくとも一方には前記包装袋の天部４から底面５に向かう方向に延びる破断誘導線８が設けられ、前記包装袋の天部４がその側面視において先端４５に向かって先細りにされてなるパンツ型着用物品の包装体１００。【選択図】図１
2011006142.tif 000002
【特許請求の範囲】
【請求項１】
前面、後面、左右両側面、底面、及び該底面の反対側に配置される天部を有する包装袋に、股下側とウエスト側とが対面するよう内在する吸収体とともに折り畳まれたパンツ型着用物品を３枚以上内包した包装体であって、
前記パンツ型着用物品の複数枚は、その折り返した部分を前記包装袋の底面に向け、かつ、該おむつ内部の吸収体の左右の側縁を臨む方向を前記包装袋の左右の側面に向けて配置されており、
該側面の少なくとも一方には前記包装袋の天部から底面に向かう方向に延びる破断誘導線が設けられ、
前記包装袋の天部がその側面視において先端に向かって先細りにされてなるパンツ型着用物品の包装体。
【請求項２】
前記内包されたパンツ型着用物品の過半数はその折り返し部分を包装袋の底面に向けて配されている、請求項１記載のパンツ型着用物品の包装体。
【請求項３】
前記パンツ型着用物品が内在する吸収体の身丈方向にみて略中央で２つ折りにされた請求項１又は２に記載のパンツ型着用物品の包装体。
【請求項４】
前記パンツ型着用物品は前記吸収体を内装する外装材により外形が構成され、該外装材には前記吸収体の部分を避けて弾性部材が配設されたギャザー領域がある請求項１〜３いずれか１項に記載のパンツ型着用物品の包装体。
【請求項５】
前記外装材が伸縮性シートで構成されている請求項１〜３のいずれか１項に記載のパンツ型着用物品の包装体。
【請求項６】
前記包装袋の前面には内部を透視可能な透明領域が設けられており、該透明領域を通して前記パンツ型着用物品の吸収体が内在する部分が見える請求項４又は５に記載のパンツ型着用物品の包装体。
【請求項７】
前記透明領域が前記包装袋前面の底面側に設けられている請求項６に記載のパンツ型着用物品の包装体。
【請求項８】
封緘前において、前記包装袋の天部は、前記包装袋の左右両側面、前面、及び後面がそれぞれ前記天部先端にまで延びた、天部左右側面、天部前面、及び天部後面の四面からなる筒状部であり、
前記天部は、その先端側において、前記天部左右側面を筒状部の内方に折り込みながら前記天部前面及び後面で挟み込み封止され、側面視において前記天部先端に向け先細りにされた請求項１〜７のいずれか１項に記載のパンツ型着用物品の包装体。
【発明の詳細な説明】
【技術分野】
【０００１】
本発明は、パンツ型使い捨ておむつ等のパンツ型着用物品の包装体に関する。
【背景技術】
【０００２】
近年、乳幼児または被介護者がいる家庭ないしは各種施設において使い捨ておむつが必需品となっている。この使い捨ておむつは、複数枚を一体に収納した包装体としてドラッグストアやスーパーマーケット等において、店頭に陳列され、販売されている。
【０００３】
前記包装体としては、使い捨ておむつ等の吸収性物品を多数、例えば数十枚折り畳んだ状態で重ねて、あるいはさらに数段に積み上げて略直方体に集積し、これらを包装袋に収納したものが一般的である。その中には、包装袋にミシン目を付し、これを切り裂いて吸収性物品を取り出す開口部とするものが知られている。
例えば、側方パネルに開口部となるＵ字状のミシン目を設けた略直方体の可撓性の袋に、該Ｕ字状のミシン目に対面するように吸収性物品の正面を向けて充填したものがある（特許文献１）。また、包装袋をなすガゼット状にしたフィルムチューブの側面の長手方向にミシン目を設け、このミシン目が延びる方向と直交する方向に吸収性物品の折り重ね線を向け、多数並列して収納した包装体がある（特許文献２）。
【先行技術文献】
【特許文献】
【０００４】
【特許文献１】特許第３００９４０６号公報
【特許文献２】特開昭５６−１４２１６２号公報
【発明の概要】
【発明が解決しようとする課題】
【０００５】
開発された新製品を販売開始前後にトライアル用として店頭に陳列し配布することがあるが、特にトライアル用として、例えば少数のパンツ型使い捨ておむつを小分けにした包装体において特別に工夫されたものは、上述の特許文献にはない。そこで本発明者らは、そのようなパンツ型使い捨ておむつ等のパンツ型着用物品の包装体について、少数であっても中の着用物品を取り出しやすく、しかもすべてを消費するまで着用物品の形態が安定し、取り扱いやすいものとすることを考えた。また、できればパンツ型使い捨ておむつ等の改良点や特徴を視認させ消費者の興味を惹くものが望ましい。このとき、パンツ型使い捨ておむつ等のパンツ型着用物品に特有の構造を考慮し、特に内部の吸収体との関係で使用時の穿き心地等に好適な折り畳み形態において上記の機能を発揮する包装体としたい。
【０００６】
本発明は上記のような要求に対応することを目的とし、少数のパンツ型着用物品であっても、折り畳まれて内包されたパンツ型着用物品を使用時に取り出しやすく、一部のものが取り出されたときにも残りの着用物品の折り畳み形態を安定して維持することができる包装体の提供を課題とする。
【課題を解決するための手段】
【０００７】
本発明は、前面、後面、左右両側面、底面、及び該底面の反対側に配置される天部を有する包装袋に、股下側とウエスト側とが対面するよう内在する吸収体とともに折り畳まれたパンツ型着用物品を３枚以上内包した包装体であって、前記パンツ型着用物品の複数枚は、その折り返した部分を前記包装袋の底面に向け、かつ、該おむつ内部の吸収体の左右の側縁を臨む方向を前記包装袋の左右の側面に向けて配置されており、該側面の少なくとも一方には前記包装袋の天部から底面に向かう方向に延びる破断誘導線が設けられ、前記包装袋の天部がその側面視において先端に向かって先細りにされてなるパンツ型着用物品の包装体を提供するものである。
【発明の効果】
【０００８】
本発明のパンツ型着用物品の包装体は、少数のパンツ型着用物品であっても折り畳まれて内包されたパンツ型着用物品を使用時に取り出しやすくし、しかも一部のものが取り出されたときにも残りの着用物品の折り畳み形態を安定して維持することが容易となる。さらにまた、本発明の包装体によれば必要に応じて包装袋に透明領域を設け、内部のパンツ型使い捨て着用物品の特徴部分を効果的に視認させることができる。
【図面の簡単な説明】
【０００９】
【図１】本発明の一実施形態に係るパンツ型使い捨ておむつの包装体を模式的に示した斜視図である。
【図２】図１に示す包装体に収納されたパンツ型使い捨ておむつの状態及びそこに内在する吸収体の状態を模式化して示す側面図である。
【図３】本実施形態のパンツ型使い捨ておむつを折り畳む手順を模式的に示す正面図である。
【図４】本実施形態の包装体のミシン目を切り開いてパンツ型使い捨ておむつを１枚取り出すところを示す斜視図である。
【図５】図１に示す包装体から中央のパンツ型使い捨ておむつを１枚取り出した後の状態を示す側面図である。
【図６】本実施形態の包装袋の天部頂部の形成過程を模式化して示す斜視図である。
【図７】本実施形態の包装体をなすようにパンツ型使い捨ておむつを包装袋に収納するときの手順を模式的に示す斜視図である。
【発明を実施するための形態】
【００１０】
以下、本発明のパンツ型着用物品の包装体について、その好ましい実施形態に基づき図面を参照して詳細に説明する。
図１は本発明の一実施形態に係るパンツ型使い捨ておむつ１０の包装体１００を模式的に示した斜視図である。本実施形態の包装袋３０は透明領域（窓）９以外透明ではないが、図１では理解の便宜のため内部のおむつ１０がみえるよう包装袋３０全体を透明のものとして示している。図２は図１に示す包装体１００に収容されたパンツ型使い捨ておむつ１０及びそこに内在する吸収体２０の形状を模式化して示す側面図である。図２においては、図１に示す包装体の右側面視において包装袋３０を２点鎖線で示し、収容された３枚のパンツ型使い捨ておむつ１０の側面を主に示している。図２中、パンツ型使い捨ておむつ１０の１枚（同図左１０Ｘ）は内在する吸収体２０の折り畳み状態を模式化して示し、別の１枚（同図中央１０Ｙ）はおむつの折り畳み外形を示し、さらに別の１枚（同図右１０Ｚ）はおむつの折り畳み形態を輪郭化して示している。本実施形態に係る包装体１００は、包装袋３０に３枚のパンツ型使い捨ておむつ１０を収納し封緘して形成されている。
【００１１】
本実施形態において、包装袋３０は、複数のパンツ型使い捨ておむつ１０を内包した状態で側面視において、やや細身であるが上に向かって披針形状となる構造を有する。つまり、前面１、後面２、一対の側面３（左側面３ｌ、右側面３ｒ）、底面５の５面において平面形状を有する直方体基調の本体７と、底面５の反対側にはその部分で天部先端４５に向け先細りになる天部４とから構成されている（図１参照）。本実施形態において、本体７と天部４とは内在する吸収体との関係で機能的に補助線ｔ２で区分され、本体７は吸収体２０のある部分、天部４はそれよりも上側で吸収体２０のない部分とされる（図２参照）。なお、本実施形態においては、特に断らない限り、「前後方向」とは前面１と後面２とを結ぶ方向ｘを意味し、「左右方向」とは一対の側面３，３同士を結ぶ方向ｙを意味し、「上下方向」とは天部４と底面５とを結ぶ方向ｚを意味する。本実施形態において、本体７は、前述のとおり、前面１、後面２、一対の側面３（左側面３ｌ、右側面３ｒ）、底面５の５面からなる。前面１及び後面２は、折り畳まれたパンツ型使い捨ておむつ１０を収容したときに、内在する吸収体が面状に広がる「面方向」と平行になる面と定義される。一方、本体７の左右両側面は、前記吸収体２０の側縁部２３（図３参照）を臨む方向に向き合う面と定義される。底面は、前記前面１、後面２、左右両側面３ｌ，３ｒに直交し、おむつの折り返し部１０ｐが向かう面と定義される。
【００１２】
前記天部４は、底面５の反対側つまり前記本体７の上側に位置する。具体的には、天部４は、本体７の前面１・後面２・左右両側面３ｌ，３ｒの各面から延長された、天部前面４１・天部後面４２・左右両天部側面４３（４３ｌ，４３ｒ）からなり、その側面視において天部先端４５に向かって先細りにされている（図１，図２参照）。天部前面４１及び天部後面４２は本体７の前面１及び後面２からその面状態を維持しながら緩やかに湾曲して袋外方にやや膨出するようにされており、他方、左右両天部側面４３ｌ，４３ｒにおいては、天部先端４５に向かうにつれて内方に入り込む窪みＫをなすようにされている（図１参照）。
【００１３】
前記天部４の上部は前後方向ｘの中央部分で左右方向ｙに延びる面状の天部頂部４４とされ、該天部頂部４４には吊り穴Ｈが形成されている。これにより店頭等において吊り棒などに掛けて陳列しやすく好ましい。前記天部頂部４４は、天部左側面４３ｌ及び天部右側面４３ｒが製造時のチューブフィルムにおいてガゼット折りされた部分が、そのまま天部前面４１と天部後面４２とに挟みこまれて接着され、内折り線ｍ３，ｍ２の側方外方でシールされている。さらに、接合線ｍ１の上方外方をシールし、非接着部４ｅを残してシールされた天部頂部４４をなし、しっかりとこの部分で封止状態にされている。他方、天部４の下方は非接着状態とされ、天部袋状部４６をなし、この部分におむつ１０のウエスト開口部Ｗｏ側を収容する。上記天部頂部４４をなす接着方法は特に限定されず、通常この種の包装体の封緘に適用される方法を使用することができ、例えばヒートシール法により接着することができる。
【００１４】
本実施形態の包装袋３０においては、本体７の右側面３ｒ及びこれに連なる天部右側面４３ｒには、その前後方向ｘのほぼ中央部分において、上下方向ｚに延びる破断誘導線となるミシン目８が形成されている（図１、２参照）。前記ミシン目８を切り開くことによって、収納したパンツ型使い捨ておむつ１０の取出口が形成される。前記包装袋３０の構成材料は、この種の製品に適用される通常のものを用いることができ、特に限定されないが、ポリエチレン、ポリプロピレン、ＰＥＴなどのフィルムを用いることが好ましい。その厚さも特に制限されないが、例えば、前記包装袋３０の厚さが２０〜１００μｍ程度のものを使用することが実際的である。
【００１５】
本実施形態において、前記包装袋３０に収納される前記パンツ型使い捨ておむつ１０は、液透過性の表面シート（肌当接面側）及び液不透過性の裏面シート（肌非当接面側）からなる外装材（図中符号を付してはいない。）、並びに該外装材に内装された液保持性の吸収体２０を具備する（図２，図３参照）。本実施形態において、前記外装材は折り畳んだときにも折り皺の生じにくい伸縮性シートからなる。
【００１６】
本実施形態においては、図２に示すとおり、前記パンツ型使い捨ておむつ１０は、吸収体股下側端縁２０ｔと吸収体ウエスト上側端縁２０ｕとを一致させて折り畳まれ、この状態で前記吸収体２０は重合線２１をなす。換言すれば、重合線２１を介して吸収体股下側部２０ｒと吸収体ウエスト側部２０ｓとが互いに対面するよう、吸収体２０の身丈方向にみて略中央の折り返し部２０ｐで折り畳まれている。そして、この吸収体折り返し部２０ｐないしその位置にあるおむつの折り返し部１０ｐが包装袋３０の底面５に向くように配されている。
【００１７】
ここで、本実施形態における前記パンツ型使い捨ておむつ１０の折り畳み手順について、図３を参照して説明する。図３に示すパンツ型使い捨ておむつ１０は折り畳む行程を説明するために全体的に少し伸張した状態で示している。なお、本発明において、おむつの「身丈方向」とは着用時に着用者が起立したときの身丈方向であり、図中おむつ上方に位置するウエスト開口部Ｗｏとおむつ下方に位置する股下部Ｃとを結ぶ方向ｖを意味する。おむつ「幅方向」とは、上記身丈方向と直交し２つのレッグ開口部Ｌｏ間を結ぶ方向ｕを意味する。中央側縁部Ｅｆは前記吸収体の上側外方であり吸収体の配置されていない部分であり、左右側縁部Ｅｓは前記吸収体２０の幅方向外方に位置する吸収体の配置されていない部分である。
【００１８】
まず、前記パンツ型使い捨ておむつ１０において、縦方向ｖに延びる折り目線Ｑに沿って、左右側縁部Ｅｓを腹側面（使用時に腹側に配される面）の中心に向かって谷折りする（図３（ａ）参照）。次に、縦方向ｖの中ほど、好ましくは吸収体の身丈方向ｖの中央で幅方向ｕに延びる折り目線Ｒに沿って、股下部Ｃとウエスト部Ｗとが対面するように谷折りする（図３（ｂ）参照）。このようにして折り返した折り目線Ｒ部分にはおむつ折り返し部１０ｐが形成される（図３（ｃ）参照）。なお、本実施形態では折り目線Ｒに沿って一回のみ腹側面に中心に向かって谷折りしたが、折り目線Ｒとは別の位置で２回以上折り返してもよく、あるいは、これに限らずさらに谷折りしたり、反対に背側面へ山折りしたりしてもよい。
【００１９】
本実施形態においては、上記のようにして折り畳まれたパンツ型使い捨ておむつ１０を側面視においてウエスト開口部Ｗｏを上にして見ると、吸収体を内在する部分においておむつ側縁がなす略Ｕ字ないし略Ｊ字のシルエットが現れる（図２のおむつ１０Ｚ参照）。本実施形態においては折り皺の生じにくい伸縮性シートで外装材を構成したこともあり、おむつ背面側ｒのおむつ折り返し部１０ｐのあたりは皺の少ないコットンの下着のようなきれいなシート面が現れる。このとき、本実施形態のパンツ型使い捨ておむつ１０においては、前記折り畳みによって内部の吸収体２０は４重に重合した状態となる（図２おむつ１０Ｘ参照）。この折り返し部１０ｐではその剛性に逆らって折り返したため幾分膨らみをもち、このことも相俟って上記おむつの背側面ｒの外装材は緩やかに膨出したやわらかな外観を呈する。これに対し、おむつの上端側は実質的に外装材のみからなり、吸収体２０を内在しない。そして、このパンツ型使い捨ておむつ１０は、折り畳まれて全体的に重心が下がった構造となり、より膨らみのある部分であるおむつ折り返し部１０ｐ側を包装袋３０の底面５に向け配される。
【００２０】
上記の実施形態において外装材の構成部材として用いられる伸縮性シートは特に限定されないが、シートの最大伸度が５０％以上であり、シートないし帯を所定の方向に伸度５０％まで伸長させた後に収縮させたときの伸長回復率、すなわち５０％伸長時の伸長回復率が、６０％以上であるものが好ましい。このような伸長性を面内方向の少なくとも一方向に有すればよい。ここで伸長回復率は、以下の方法によって測定される。
［伸長回復率の測定方法］
長さ５０ｍｍ、幅２５ｍｍのシートのサンプル片を用意し、引っ張り試験機（（株）オリエンテック社製「テンシロン」ＲＴＣ−１１５０Ａ〔商品名〕）を用いて、チャック間隔Ｋ０にサンプル片を固定し、３００ｍｍ／分の速度で５０％伸長時の長さＫ２（Ｋ２＝Ｋ０×２）まで伸長させた後、引っ張り速度と同様の速度で引っ張り力を開放して、応力が０になったときのサンプル片の長さを伸長回復後の長さＫ１とする。この測定結果から次式により、５０％伸長時の伸長回復率を算出する。
５０％伸長時の伸長回復率（％）＝〔（Ｋ２−Ｋ１）／（Ｋ２−Ｋ０）〕×１００
最大伸度が５０％以上である方向を複数有する場合は、そのうちのいずれか１方向のみにおいて上記最大伸度及び伸長回復率を示すものも伸縮性シートに含まれる。
【００２１】
伸縮性シートとしては伸縮性不織布が挙げられ、例えば、弾性繊維層の両面に、同一の又は異なる、実質的に非弾性の非弾性繊維層が積層されているものがある。このとき弾性繊維層と、非弾性繊維層とは、弾性繊維層の構成繊維が繊維形態を保った状態で、繊維交点の熱融着によって全面で接合されていることが好ましい。この実施態様においては、弾性繊維層と、非弾性繊維層との界面及びその近傍において、弾性繊維層の構成繊維と、非弾性繊維層の構成繊維との交点が熱融着しており、実質的に全面で均一に接合されていることが好ましい。また、２つの非弾性繊維層のうちの少なくとも一方においては、その構成繊維の一部が弾性繊維層に入り込んだ状態、及び／又は、弾性繊維層の構成繊維の一部が少なくとも一方の非弾性繊維層に入り込んだ状態になっていることが好ましい。
【００２２】
弾性繊維層の構成繊維としては、例えば熱可塑性エラストマーやゴムなどを原料とする繊維を用いることができる。弾性繊維層は弾性を有する繊維の集合体であるが、伸縮弾性を損なわない限りにおいて非弾性繊維が含まれていてもよい。非弾性繊維層は、伸長性を有するが、実質的に非弾性のものである。ここでいう、伸長性は、構成繊維自体が伸長する場合と、構成繊維自体は伸長しなくても、繊維どうしの交点において熱融着していた両繊維どうしが離れたり、繊維どうしの熱融着等により複数本の繊維で形成された立体構造が構造的に変化したり、構成繊維がちぎれたりして、繊維層全体として伸長する場合のいずれであってもよい。非弾性繊維層を構成する繊維としては、ポリエチレン（ＰＥ）、ポリプロピレン（ＰＰ）、ポリエステル（ＰＥＴやＰＢＴ）、ポリアミド等からなる繊維等が挙げられる。また、芯鞘型又はサイド・バイ・サイドの複合繊維、分割繊維、異形断面繊維、捲縮繊維、熱収縮繊維等を用いることもできる。
【００２３】
上記実施態様の伸縮性不織布は、その面内方向の少なくとも一方向に伸縮性を有するが、面内のすべての方向に伸縮性を有していてもよい。その場合には、方向によって伸縮性の程度が異なることは妨げられない。伸縮する方向に関し伸縮性の程度は５０％伸長時の荷重が１０〜５００ｃＮ／２５ｍｍであることが好ましく、特に２０〜１００ｃＮ／２５ｍｍであることがより好ましい。また５０％伸長状態から収縮させたときの残留歪みが１５％以下であることが好ましく、１０％以下であることがより好ましい。
また、伸縮シートとして特開２００７−１３８３７４号公報に記載の内容を参照することができ、その製造方法については特開２００７−８４９６６号公報、特開２００７−２２０６６号公報などを参考にしてもよい。
【００２４】
吸収体の形成材料としては、通常吸収性物品に用いられるものを用いることができる。具体的には例えば、繊維集合体又はこれと高分子吸水ポリマーとを併用させたもの等を用いることができる。繊維集合体を構成する繊維としては、パルプ繊維等の親水性天然繊維や、合成繊維（好ましくは親水化処理を施したもの）等を用いることができる。坪量は特に限定されないが、１５０ｇ／ｍ２〜５００ｇ／ｍ２が好ましい。
【００２５】
おむつウエスト部周りの締付け力を呈する前記の弾性材料は、通常この種の物品に適用されるものを広く採用することができるが、例えば素材としては、スチレン−ブタジエン、ブタジエン、イソプレン、ネオプレン等の合成ゴム、天然ゴム、ＥＶＡ、伸縮性ポリオレフィン、ポリウレタン等を挙げることができる。形態としては、断面が矩形、正方形、円形、多角形状等の糸状ないし紐状（平ゴム等）のもの、或いはマルチフィラメントタイプの糸状のもの等を用いることこができる。
【００２６】
本実施形態の包装体１００においては、図４に示すように、前記ミシン目８を切り開いて取り出し口１８を形成することができる。この取り出し口１８から、これと平行に配された略Ｕ字ないし略Ｊ字形状のシルエットをなす起立して収納されたパンツ型使い捨ておむつ１０をそのまま引張って１枚ずつ簡単に取り出すことができる。そして、その１枚目のおむつ１０Ｙを取り出した後は、図５に示すように、その分隙間ができ残されたおむつはやや倒れこむ。これに対し、本実施形態によれば、前記包装袋３０の天部４が側面視においてその天部先端４５に向け先細りとなる構造を有し、その天部袋状部４６におむつの吸収体がない吸収体非配設部（側縁部Ｅｓ，Ｅｆ）が収容されている。そのため、この部分がおむつの取り出し前にややきつ目に圧力のかかる状態で封緘されていると、おむつの枚数が減少しても、それに応じて天部袋状部４６における天部前面４１及び天部後面４２もやや互いに近づきより細身の先細り状となる。残されたパンツ型使い捨ておむつ１０Ｘ，１０Ｚの吸収体がなく特に変形しやすい吸収体非配設部において、天部４の先細り構造によりその動きを制限するため、その部分がへたり込まず折り畳まれたおむつの良好な自立姿勢の支えとなる。これによって前記パンツ型使い捨ておむつ１０Ｘ、１０Ｚは圧縮状態が解かれ僅かに広がっても、極端に広がったり倒れ込んだりして適切な折り畳み形態を崩してしまうことが防がれる。このような作用は、数十枚といった多数のおむつを収納した包装体においても奏されるが、１０枚以下、さらに好ましくは３〜５枚の小分け包装体において一層効果的である。
【００２７】
上述のように本実施形態によれば、使用途中においても前記パンツ型使い捨ておむつ１０の取出しが容易で簡単であり、安定的な保管を実現することができる。本実施形態において、天部側面４３の先細り構造による前記の作用の観点から、前後方向ｘの袋の総幅ｄ１（図２参照）と上下方向ｚの先細りになっていく天部袋状部４６の高さｈの比は、１：１であることが好ましく、２：３であることがより好ましい。
【００２８】
本実施形態の包装体１００において、おむつは折り畳まれて上記のように重心が低くされ、その折り返し部１０ｐ側を前記包装袋３０の底面５に向け収容している。このようなおむつの配置とすることで、底面におけるおむつの接地面がより広く確保され、かつ包装体全体としても重心が下がるため、その底面５を下にして店頭や展示台に陳列したときに安定感があり自立姿勢で陳列することができ好ましい。このように予定した向きにおいて自立性が良いことは、包装体１００の外面に商品名や特徴説明等の情報を表示したとき、その文字の方向とも矛盾なく陳列しやすく利点となる。
【００２９】
また、上述のように折り皺がなく形状のきれいな折り畳まれたおむつの背側面ｒが前記包装袋３０の前面１に向いて配置され、そこに透明領域（窓）９を配置することで展示ないし陳列したときに見映えが良い（図１，図２参照）。すなわち、これにより、本実施形態においておむつの改良された特徴部分であるコットン下着のようなきれいなおむつのシート面を見ることができ、例えば大人用であればおむつとしての抵抗感を和らげ、普通の下着を手にするような好印象を与える。このように包装体１００は、パンツ型使い捨ておむつ１０の商品販売・普及に特に適しており極めて効果的な構造となっている。さらに、前記透明領域（窓）９の窓枠ないしはその周辺背景の色を透明領域（窓）９から見えるパンツ型使い捨ておむつ１０の色と異なる色にすることにより、上述した内部の製品のシースルー効果が一層高まる。その他の陳列形態として、吊り穴Ｈを利用して、陳列フックに引っ掛けて陳列することもできる。また、本実施形態においては、例えば、各使い捨ておむつ１０の色を変えたり数字を記載したりすることで前記透明領域（窓）９からその色や記載された数字を認識して、その時点での使用状態（何枚まで使用したかなど）等の情報を得ることができる。
【００３０】
図６及び図７を参照して、包装袋３０の天部頂部４４の形成過程とその後のパンツ型使い捨ておむつ１０の前記包装袋３０への包装手順について説明する。
本実施形態において包装袋３０は連続して送られるチューブ状フィルム３００を素材として形成されるが、図６は、そのチューブ状フィルム３００から本実施形態の包装袋３０の天部頂部４４の形成過程を示す説明図である（同図では理解のために図１に示した斜視図と対応する斜視図にして、天部予定部４４’のみを示している。しかし実際は、天部予定部４４’の先にさらにフィルムが延在し、その部分が次の包装袋の天部予定部となる。）。前記チューブ状フィルム３００において、チューブ側面を谷折り線ｍ２、ｍ３に沿って内方へ二つ折りしてガゼット部４３’が形成される。次に、チューブ状フィルム３００の天部先端線４５’を含む天部頂部予定部４４’おいて、前記ガゼット折り部４３’を挟み込むように天部先端線４５’を互いに方向ｎに接近させ積層させる（図６参照）。その後、上記谷折り線ｍ２、ｍ３、及び接合線ｍ１の外方をヒートシールにより強固に接合し天部頂部４４が形成される（図１参照）。さらに本実施形態においては、前記ガゼット部にミシン目８が形成されるが、このミシン目付けを、上記天部頂部４４を形成する前のチューブ状フィルム３００に施しておくことが製造効率の点で好ましい。
【００３１】
本実施形態の包装袋３０は、上記のようにして形成した天部頂部４４を有する包装袋前駆体３０’において、その反対側に位置する開口部（底部予定部５’）を大きく開口させて、そこから３枚のパンツ型使い捨ておむつ１０を収納する（図７（ａ）参照）。このとき、各パンツ型使い捨ておむつ１０のウエスト開口部Ｗｏを天部頂部４４方向に向け、かつおむつの背側面ｒを包装袋３０の前面１に向け、３枚のオムツを積層方向に圧縮して、つまりおむつの腹側と背側とを圧し付ける方向に圧縮して、包装袋前駆体３０’の内部に納める。その後、上記の圧縮を解くと多少おむつが膨らみながら内方より包装袋前駆体３０’を圧し広げ安定した収容状態が得られる。さらに、包装袋前駆体３０’の前面１、後面２、側面３の、各下方端部をなす底面前面５１’、底面後面５２’、底面側面５３’を折り畳んでキャラメル包装状に接着し、包装袋３０の底面５が形成される（図１参照）。
【００３２】
本発明においては、前述の実施形態とは別の実施形態として、３枚のパンツ型使い捨ておむつ１０のうち、過半数（２枚）は前述の実施形態と同じようにその折り返し部１０ｐ側を包装袋３０の底面５側に向けて配されているが、残りの半数未満（１枚）はその折り返し部１０ｐ側を包装袋３０の天部４側に向けて配されている包装体１１０（図示せず）であってもよい。前記包装体１１０は、その天部４側の天部前面４１及び天部後面４２を比較的平らにしかつしっかりとした感じを出すことができるので、天部４側に表示した文字や絵が見やすく、またお客様が手に取る際も掴みやすい構造となる。内包されるおむつの枚数が異なっても、前述の作用を奏する観点から、その枚数の過半数が、その折り返し部１０ｐ側を底面５側に向けて配されることが好ましい。包装体１１０においては、３枚のおむつのうち１枚を取り出した際に、そのおむつがどのように配されたものであっても、残り２枚のうち少なくとも１枚は折り返し部１０ｐ側が包装袋３０の底面５側に位置するから、前述の実施形態と同じおむつの形態安定効果が得られる。なお、この実施形態に関わる包装体１１０では３枚のおむつが内包された形態を説明したが、これに限定されるものではない。また、パンツ型使い捨ておむつ１０のうち半数未満が折り返し部１０ｐ側を包装袋３０の底面５側に向けて配され（配置Ａ）、残り（過半数）がその折り返し部１０ｐ側を包装袋３０の天部４側に向けて配される（配置Ｂ）形態であってもよい。さらに、包装されるおむつの枚数が偶数の場合に、半数が配置Ａ，残り半数が配置Ｂである形態であってもよい。これらの場合は先に配置Ａのおむつがすべて取り出されるような場合には、複数枚の配置Ｂのおむつが残ることとなる。したがって、過半数が配置Ａのおむつ、半数未満が配置Ｂのおむつとした実施形態が好ましい。
【符号の説明】
【００３３】
１  前面
２  後面
３  側面
４  天部
５  底面
７  本体
８  ミシン目
９  透明領域（窓）
１０  パンツ型使い捨ておむつ
１８  取り出し口
２０  吸収体
２１  吸収体の重合線
２３  吸収体の側縁
３０  包装袋
４４  天部頂部
４５  天部先端
４６  天部袋状部
１００  包装体
３００  チューブ状フィルム
【図１】
2011006142.tif 000003
【図２】
2011006142.tif 000004
【図３】
2011006142.tif 000005
【図４】
2011006142.tif 000006
【図５】
2011006142.tif 000007
【図６】
2011006142.tif 000008
【図７】
2011006142.tif 000009